(57)【特許請求の範囲】
【請求項１】
洗浄機本体の洗浄室の内面にこの内面との間に間隔をあけて固定される内面パネルを備えた器具洗浄機において、
上記洗浄室の内面にはこの洗浄室側に突出した少なくとも上下二列の上向きの引っ掛け部材を固定し、上記内面パネルには引っ掛け部材を受け入れる開口部を形成すると共に、この内面パネルを引っ掛け部材に引っ掛けたとき、上記間隔を規制する規制部材を固定したことを特徴とする器具洗浄機。
【請求項２】
上記引っ掛け部材の幅寸法と上記開口部の幅寸法とを略等しく形成したことを特徴とする請求項１記載の器具洗浄機。
【発明の詳細な説明】
【０００１】
【発明の属する技術分野】
本発明は、洗浄室の内面に内面パネルを備えた器具洗浄機に関する。
【０００２】
【従来の技術】
一般に、洗浄機本体内に洗浄ノズルとすすぎノズルとを備え、これらノズルを通じて洗浄水、すすぎ水を供給して、洗浄機本体内に投入したトレイ等の比較的大型の器具を洗浄する構成を備えた器具洗浄機が知られている。
【０００３】
この種のものでは、洗浄対象が比較的大型で、洗浄機本体の開口部の高さが高くなるため、そこに設けられる開閉扉が、開口部の下半部を覆い前方へ傾動して開閉される傾動扉と、この傾動扉にリンク機構を介して連結され、傾動扉の開閉に連動して昇降し、開口部の上半部を覆う昇降扉とで構成されたものが提案されている。この場合、上記リンク機構は、洗浄室の内面に沿って配置されるのが一般的であり、このリンク機構（コイルスプリングを含む）を覆うため、洗浄室の内面にこの内面との間に間隔をあけて内面パネルを固定し、この内面パネルの内側にリンク機構等を収容する構成が採用されている。
【０００４】
【発明が解決しようとする課題】
ところが、内面パネルの内側には器具洗浄時に洗剤等のカスが入り込む。そのため、カスを除去するため、内面パネルは定期的に取り外す必要がある。しかし、従来の構成では、内面パネルをねじ止めにより固定するのが一般的であり、その取り付け、或いは取り外しの作業が困難になるという問題がある。
【０００５】
そこで、本発明の目的は、上述した従来の技術が有する課題を解消し、洗浄室の内面に固定される内面パネルを、簡単に取り付け、或いは取り外しすることができる器具洗浄機を提供することにある。
【０００６】
【課題を解決するための手段】
請求項１記載の発明は、洗浄機本体の洗浄室の内面にこの内面との間に間隔をあけて固定される内面パネルを備えた器具洗浄機において、上記洗浄室の内面にはこの洗浄室側に突出した少なくとも上下二列の上向きの引っ掛け部材を固定し、上記内面パネルには引っ掛け部材を受け入れる開口部を形成すると共に、この内面パネルを引っ掛け部材に引っ掛けたとき、上記間隔を規制する規制部材を固定したことを特徴とする。
【０００７】
請求項２記載の発明は、請求項１記載のものにおいて、引っ掛け部材の幅寸法と開口部の幅寸法とを略等しく形成したことを特徴とする。
【０００８】
【発明の実施の形態】
以下、本発明の一実施形態を図面に基づいて説明する。
【０００９】
図１において、１は器具洗浄機を示す。この器具洗浄機１は４本の支柱２を基準に枠組みされており、上部には箱形の洗浄機本体３を備え、下部には機械室５を備えて構成されている。この機械室５には支柱２に固定された側板５Ａと底板５Ｂが設けられ、この底板５Ｂ上には、後述の洗浄ノズルに洗浄水を供給する洗浄ポンプ６と、すすぎノズルにすすぎ水を供給するすすぎポンプ７とが設置されている。８は洗浄水の保温ヒータである。
【００１０】
洗浄機本体３内には洗浄室１０が形成されており、この洗浄室１０の下部には下部洗浄ノズル１１及び下部すすぎノズル１２が配置され、洗浄室１０の上部にはこれらノズル１１，１２に対向して、上部洗浄ノズル１３及び上部すすぎノズル１４が配置されている。
【００１１】
この器具洗浄機１では、図示は省略したが、トレイ等の比較的大型の器具を洗浄対象とするため、洗浄機本体３の前面に形成された開口部１５の高さは高く設定されている。従って、そこに設けられる開閉扉２０は、開口部１５の略下半部を覆い、洗浄機本体３の前方へ手動により傾動して開閉される傾動扉１７と、この傾動扉１７にリンク機構１９を介して連結され、傾動扉１７の開閉に連動して昇降し、開口部１５の略上半部を覆う昇降扉２１とで構成されている。開閉扉２０を一枚の傾動扉１７だけで構成した場合、扉の解放時における前方への突出量が大きくなりすぎるし、一枚の昇降扉２１だけで構成した場合、扉の解放時における上方への突出量が大きくなりすぎるからである。
【００１２】
図２は開閉扉２０を閉じた状態を示し、図３は開閉扉２０を開けた状態を示している。図２では傾動扉１７と昇降扉２１とによって開口部１５が全閉されている。傾動扉１７の取っ手１７Ａに手を掛けて、それを手前に引くと、図３に示すように、傾動扉１７が前方に傾動し、これに連動して昇降扉２１が上方に上昇して、開口部１５が全開される。
【００１３】
図４は図２のIV−IV断面図、図５は図３のＶ−Ｖ断面図である。
【００１４】
図４及び図５に示すように、開口部１５の側縁部（支柱２）には昇降扉２１の側縁部側に突出する一対の軸３１が、上下に所定の間隔Ｗをあけて固定され、各軸３１にはフリーに回転自在に案内ローラ３３が支持されている。また、この案内ローラ３３を呑み込み可能に、昇降扉２１の側縁部に案内レール３５が固定されている。この案内レール３５は、案内ローラ３３の呑み込み側の面だけを開口した断面略コ字形の部材であり、昇降扉２１の上端部から下端部を越えて下方に延出する延出部２１Ａを備えて構成されている。この延出部２１Ａにはブラケット４１が固定され、このブラケット４１は、図３に示すように、支柱２に形成された切除部４２を貫通して洗浄室１０内に延出している。この洗浄室１０内に延出したブラケット４１には、図４及び図５に示すように、リンク機構１９を構成するリンク４３の一端４３Ａが連結され、このリンク４３の他端４３Ｂは、略くの字形のステー４５の一端４５Ａに連結され、その他端４５Ｂは、傾動扉１７の側縁部に連結されている。リンク４３と洗浄室１０内の固定部との間には、コイルスプリング４７が掛け渡されている。
【００１５】
図４に示す傾動扉１７を手前（矢印Ａ方向）に引くと、図５に示すように、傾動扉１７が前方に傾動し、これに連動し、コイルスプリング４７のばね力で引っ張られながら、ステー４５を介してリンク４３が押し上げられ、これと一体に昇降扉２１が上方に上昇し、開口部１５が全開される。
【００１６】
ところで、リンク機構１９及びコイルスプリング４７等は、図１に示すように、洗浄室１０の内面に沿って配置される。これらを洗浄室１０に露出したまま放置すると、洗浄室１０に投入する器具類が、リンク機構１９及びコイルスプリング４７に挟まり、それらを破損する等の不測の事態が発生する。そこで、このリンク機構１９（コイルスプリング４７を含む）を覆うため、洗浄室１０の内面にこの内面との間に間隔をあけて内面パネル５１が固定され、この内面パネル５１の内側にリンク機構１９等が収容される。
【００１７】
図６に示すように、洗浄室１０を囲う側板５２の内面５２Ａには、この洗浄室１０側に突出した上下二列（図４又は図５）の上向きの引っ掛け部材５３，５４が固定されている。この引っ掛け部材５３，５４は、板金を略Ｚ字状に曲げて形成され、その先端５３Ａ，５４Ａを上向きに配置されている。
【００１８】
これに対し、内面パネル５１には、引っ掛け部材５３，５４を受け入れるための、引っ掛け部材５３，５４の幅寸法よりも若干幅寸法の広い開口部５５，５６（図８）が形成されると共に、図７に示すように、この内面パネル５１を引っ掛け部材５３，５４に引っ掛けたとき、側板５２と内面パネル５１との間の間隔Ｗを規制する規制部材５７，５８が固定されている。図９にて、内面パネル５１の奥部は、略Ｌ字状に曲げられ、そこにも側板５２と内面パネル５１との間の間隔Ｗを規制する規制部材５９が形成されている。
【００１９】
本実施形態では、図１に示す状態の内面パネル５１を取り外す場合、この内面パネル５１を、図７に示すように、引っ掛け部材５３，５４の先端５３Ａ，５４Ａの高さＨをかわす分だけ、矢印Ａ方向に持ち上げた後、矢印Ｂ方向に引くことにより簡単に取り外される。また、内面パネル５１を取り付ける場合、上記と逆手順によって取り付けられる。これが取り付けられた場合、引っ掛け部材５３，５４の先端５３Ａ，５４Ａと側板５２との間に内面パネル５１が挟まれて保持されるため、図７中で内面パネル５１の左右方向への移動が規制される。また、図８に示すように、引っ掛け部材５３，５４の幅寸法と開口部５５，５６の幅寸法とが略等しく設定されるため、内面パネル５１の図８中の左右方向への移動が規制される。さらに、規制部材５７，５８，５９によって、側板５２と内面パネル５１との間の間隔Ｗが自動的に規制される。この間隔Ｗは、リンク機構１９及びコイルスプリング４７を収容するための間隔である。
【００２０】
この洗浄機では、内面パネル５１の内側に入り込んだカスを除去するため、これを定期的に取り外し、その内側を清掃する必要がある。
【００２１】
従来の構成では、内面パネル５１をねじ止めしていたので、その取り付け、或いは取り外しの作業が困難であったが、本実施形態では、内面パネル５１の取り付け、或いは取り外しをワンタッチで行うことができるため、定期清掃時の作業を簡単に行うことができる等の効果が得られる。
【００２２】
以上、一実施形態に基づいて本発明を説明したが、本発明はこれに限定されるものではないことは明らかである。
【００２３】
【発明の効果】
本発明では、内面パネルの取り付け、取り外しをワンタッチで行うことができるため、定期清掃時等の作業が簡単になる。
【図面の簡単な説明】
【図１】本発明による器具洗浄機の一実施形態を示す斜視図である。
【図２】開閉扉を全閉した時の正面図である。
【図３】開閉扉を全開した時の正面図である。
【図４】図２のIV−IV断面図である。
【図５】図３のＶ−Ｖ断面図である。
【図６】側板と内面パネルの関係を示す図である。
【図７】側板と内面パネルの関係を示す図である。
【図８】側板と内面パネルの関係を示す図である。
【図９】内面パネルを示す斜視図である。
【符号の説明】
１  器具洗浄機
３  洗浄機本体
１５  開口部
１７  傾動扉
１９  リンク機構
２０  開閉扉
２１  昇降扉
５１  内面パネル
５２  側板
５２Ａ  内面
５３，５４  引っ掛け部材
５３Ａ，５４Ａ  先端
５５，５６  開口部
５７，５８，５９  規制部材
【図１】
0004565755.tif 000002
【図２】
0004565755.tif 000003
【図３】
0004565755.tif 000004
【図４】
0004565755.tif 000005
【図５】
0004565755.tif 000006
【図６】
0004565755.tif 000007
【図７】
0004565755.tif 000008
【図８】
0004565755.tif 000009
【図９】
0004565755.tif 000010